(57)【要約】【課題】  利用者に対して十分な写真サービスを提供することができるデジタルカメラ貸出システムを提供する。【解決手段】  貸出票３０に対応して貸し出されたデジタルカメラ１０からの画像データと、貸出票３０に内蔵された無線タグに記録されたＩＤ情報とを対応づけて、画像送信端末２ａ,…,２ｎで画像サーバ３に送信し、その画像サーバ３に対して貸出票３０に内蔵された無線タグからのＩＤ情報に対応する画像データの送信を画像受信端末１ａ,…、１ｆ,６ａ,…,６ｎで要求し、その画像サーバ３から送信されてきた画像データを受信して写真を提供する。【選択図】        図２
2006101449.tif 000002
【特許請求の範囲】
【請求項１】
外部と通信を行なって受信情報の記録および記録された情報の送信を行ないＩＤ情報が記録される無線タグを内蔵した貸出票と、
画像データを受信して蓄積しておき画像データの送信要求を受けて送信元に画像データを送信する画像サーバと、
前記貸出票に内蔵された無線タグから、該貸出票に記録されたＩＤ情報を受け取るとともに、該貸出票に対応して貸し出されたデジタルカメラから画像データを受け取り、該画像データと該ＩＤ情報とを対応づけて前記画像サーバに送信する画像送信端末と、
前記貸出票に内蔵された無線タグから該貸出票に記録されたＩＤ情報を受信して前記画像サーバに該ＩＤ情報に対応する画像データの送信を要求し、該画像サーバから送信されてきた画像データを受信して提示する画像受信端末とを備えたことを特徴とするデジタルカメラ貸出システム。
【請求項２】
前記ＩＤ情報は、貸出票を特定するＩＤ情報であることを特徴とする請求項１記載のデジタルカメラ貸出システム。
【請求項３】
前記ＩＤ情報は、複数の貸出票により構成されるグループを特定するＩＤ情報であることを特徴とする請求項１記載のデジタルカメラ貸出システム。
【請求項４】
前記貸出票が入場券を兼ねたものであることを特徴とする請求項１記載のデジタルカメラ貸出システム。
【請求項５】
前記貸出票に内蔵された無線タグは、前記ＩＤ情報に加え、デジタルカメラの貸出しを受けるにあたり、貸し出されるデジタルカメラを特定するカメラＩＤ情報が記録され、貸し出しを受けたデジタルカメラの返却にあたり、該カメラＩＤ情報のデジタルカメラが返却されたことを表わす情報が記録されるものであることを特徴とする請求項１記載のデジタルカメラ貸出システム。
【発明の詳細な説明】
【技術分野】
【０００１】
本発明は、デジタルカメラの貸し出しを行ない、そのデジタルカメラで得られた画像データを送信して提示するデジタルカメラ貸出システムに関する。
【背景技術】
【０００２】
従来より、テーマパーク等の施設内において、その施設を利用する利用者が持参したデジタルカメラや、施設内で販売されているレンズ付フイルム等を購入しての記念撮影がしばしば行なわれている。ここで、施設を利用する利用者にデジタルカメラを貸し出し、貸し出されたデジタルカメラで撮影して得られた画像データを、その施設内に設置された基地局に向けて無線で送信し、送信された画像データに基づいてプリントアウトした写真を提供するシステムが提案されている（特許文献１参照）。このシステムによれば、施設を利用する利用者はデジタルカメラを持参したり、レンズ付フイルム等を購入する必要はなく、その施設内で写真を入手することができる。
【特許文献１】特開２００１−１９７４０７号公報
【発明の開示】
【発明が解決しようとする課題】
【０００３】
上述した特許文献１に提案されたシステムでは、デジタルカメラで撮影して得られた画像データを無線で送信して写真を提供するシステムである。一般に、写真を表わす画像データ量は膨大であり、また無線通信においては通信経路に関する伝送状況の変動（フェージング）等を考慮する必要があるため、写真を表わす画像データの無線伝送時間は長く、例えば連写撮影が困難であるという問題がある。ここで、画像データ量を少なくして無線送信することが考えられるが、写真の画質が劣化するという問題が発生する。従って、利用者に対して写真サービスの提供に欠ける面がある。
【０００４】
本発明は、上記事情に鑑み、利用者に対して十分な写真サービスを提供することができるデジタルカメラ貸出システムを提供することを目的とする。
【課題を解決するための手段】
【０００５】
上記目的を達成する本発明のデジタルカメラ貸出システムは、
外部と通信を行なって受信情報の記録および記録された情報の送信を行ないＩＤ情報が記録される無線タグを内蔵した貸出票と、
画像データを受信して蓄積しておき画像データの送信要求を受けて送信元に画像データを送信する画像サーバと、
上記貸出票に内蔵された無線タグから、その貸出票に記録されたＩＤ情報を受け取るとともに、その貸出票に対応して貸し出されたデジタルカメラから画像データを受け取り、その画像データとそのＩＤ情報とを対応づけて上記画像サーバに送信する画像送信端末と、
上記貸出票に内蔵された無線タグからその貸出票に記録されたＩＤ情報を受信して上記画像サーバにそのＩＤ情報に対応する画像データの送信を要求し、その画像サーバから送信されてきた画像データを受信して提示する画像受信端末とを備えたことを特徴とする。
【０００６】
本発明のデジタルカメラ貸出システムは、貸出票に対応して貸し出されたデジタルカメラからの画像データと、その貸出票に内蔵された無線タグに記録されたＩＤ情報とを対応づけて画像サーバに送信し、その画像サーバに対して貸出票に内蔵された無線タグからのＩＤ情報に対応する画像データの送信を要求し、その画像サーバから送信されてきた画像データを受信して提示するシステムである。このため、上記特許文献１に提案された、貸し出されたデジタルカメラで撮影して得られた画像データを無線で送信する技術と比較し、連写撮影が困難であったり写真の画質が劣化するというような問題はなく、利用者に対して十分な写真サービスを提供することができる。また、本発明のデジタルカメラ貸出システムによれば、利用者は、例えばテーマパーク内で貸し出されたデジタルカメラで撮影した写真を必ずしもそのテーマパーク内で受け取る必要もなく、テーマパークを退場した後に、インターネットを介して、近所のカメラ店等に設置されたラボで貸出票に内蔵された無線タグからのＩＤ情報に対応する画像データの送信を上記画像サーバに要求することにより、そのテーマパーク内で撮影した写真を受け取ることができる。
【０００７】
ここで、上記ＩＤ情報は、貸出票を特定するＩＤ情報であることが好ましい。
【０００８】
このようにすると、貸出票を簡単に特定することができる。
【０００９】
また、上記ＩＤ情報は、複数の貸出票により構成されるグループを特定するＩＤ情報であることも好ましい態様である。
【００１０】
上記ＩＤ情報が、複数の貸出票により構成されるグループを特定するＩＤ情報であると、例えばテーマパークにグループで入場した場合、グループを構成する利用者の貸出票に、そのグループを特定するグループＩＤ情報が記録されるため、デジタルカメラの貸し出しを受けた利用者以外の上記グループを構成する利用者も、そのデジタルカメラで撮影して得られた画像データに基づく写真を入手することができる。
【００１１】
さらに、上記貸出票が入場券を兼ねたものであることも好ましい。
【００１２】
一般に、テーマパーク等の施設に入場する場合は入場券が配付される。このため、貸出票が入場券を兼ねたものであると、貸出票と入場券との２枚を用意する必要はなく、入場券のみで済む。
【００１３】
また、上記貸出票に内蔵された無線タグは、上記ＩＤ情報に加え、デジタルカメラの貸出しを受けるにあたり、貸し出されるデジタルカメラを特定するカメラＩＤ情報が記録され、貸し出しを受けたデジタルカメラの返却にあたり、そのカメラＩＤ情報のデジタルカメラが返却されたことを表わす情報が記録されるものであることも好ましい。
【００１４】
このようにすると、貸し出されたデジタルカメラの持ち出しを防止することができる。
【発明の効果】
【００１５】
本発明のデジタルカメラ貸出システムは、貸出票に対応して貸し出されたデジタルカメラからの画像データと、その貸出票に内蔵された無線タグに記録されたＩＤ情報とを対応づけて画像サーバに送信し、その画像サーバに対して貸出票に内蔵された無線タグからのＩＤ情報に対応する画像データの送信を要求し、その画像サーバから送信されてきた画像データを受信して提示するシステムであるため、貸し出されたデジタルカメラで撮影して得られた画像データを無線で送信する技術と比較し、連写撮影が困難であったり写真の画質が劣化するというような問題はなく、利用者に対して十分な写真サービスを提供することができる。
【発明を実施するための最良の形態】
【００１６】
以下、本発明の実施形態について説明する。
【００１７】
図１は、本発明の一実施形態のデジタルカメラ貸出システムが適用されるテーマパークの概略図、図２は、図１に示すデジタルカメラ貸出システムの概略図である。
【００１８】
図１に示すテーマパークは、アトラクションＡ,Ｂ,Ｃと、レストランＤと、ショッピングセンタＥと、複数の部屋Ｆ１,…Ｆｎを有するホテルＦと、モニュメントＧと、入退場ゲートＨとを有する。
【００１９】
また、このテーマパークには、画像データを受信して蓄積しておき画像データの送信要求を受けて送信元に画像データを送信する画像サーバ３が設置されている。
【００２０】
さらに、テーマパークには、入退場ゲートＨに配備されたチェックアウト端末４ａ,４ｂおよびホテルＦの出入り口に配備されたチェックアウト端末４ｃと、利用者に様々な情報を提供するための案内板５ａ,５ｂ,５ｃ,５ｄ,５ｅが設置されている。
【００２１】
アトラクションＡ,Ｂ,Ｃ,レストランＤ,ショッピングセンタＥ,ホテルＦは、ラボＡＬａ,ＢＬａ,ＣＬａ, ＤＬａ,ＥＬａ,ＦＬａを有する。これらラボＡＬａ,ＢＬａ,ＣＬａ, ＤＬａ,ＥＬａ,ＦＬａには、画像サーバ３から送信されてきた画像データを受信し、その画像データで表わされる写真を画面に表示したりプリントしたりする画像受信端末１ａ,１ｂ,１ｃ,１ｄ,１ｅ,１ｆ（本発明にいう画像受信端末の一例に相当）が設置されている。
【００２２】
また、ショッピングセンタＥは、デジタルカメラの貸し出しを行なうデジタルカメラ貸出スペースＥＲｅｎｔを有する。このデジタルカメラ貸出スペースＥＲｅｎｔには、画像送信端末２ａ,…２ｎ（本発明にいう画像送信端末の一例に相当）が設置されている。
【００２３】
画像サーバ３は、上記画像送信端末２ａ,…２ｎからの画像データを受信して蓄積しておき、上記ラボＡＬａ,ＢＬａ,ＣＬａ, ＤＬａ,ＥＬａ,ＦＬａに設置された画像受信端末１ａ,…,１ｆからの画像データの送信要求を受けて送信元に画像データを送信する。また、画像サーバ３は、インターネットを介して、このテーマパークの外部のカメラ店等に設置された画像受信端末６ａ,…,６ｎ（本発明にいう画像受信端末の他の一例に相当）からの画像データの送信要求を受けて送信元に画像データを送信する。これらの画像受信端末１ａ,…,１ｆ,６ａ,…,６ｎには、送信された画像データで表わされる写真をプリントするためのプリンタ１ａｐ,…,１ｆｐ,６ａｐ,…,６ｎｐが接続されている。
【００２４】
また、デジタルカメラ貸出スペースＥＲｅｎｔには、図２に示すように、このテーマパークの利用者に貸し出すための複数のデジタルカメラ１０と、それら複数のデジタルカメラ１０の充電を行なうとともに、利用者に貸し出されて撮影され生成された画像データを画像送信端末２ａ,…２ｎに送信するためのクレードル２０が配備されている。また、画像送信端末２ａ,…２ｎには、入場券を兼ねた貸出票３０に内蔵された無線タグとの送受信を行なう送受信器４０が接続されている。先ず、貸出票３０について説明する。
【００２５】
このテーマパークでは、入場にあたり、入場券を兼ねた貸出票３０が利用者に渡される。ここで、利用者がデジタルカメラ１０の貸し出しを受ける場合は、デジタルカメラ貸出スペースＥＲｅｎｔに行き、貸出票３０を提示する。
【００２６】
図３は、貸出票の外観図、図４は、図３に示す貸出票の断面図である。
【００２７】
図３に示す貸出票３０には、外部と通信を行なって受信情報の記録および記録された情報の送信を行ない、後述する貸出ＩＤ情報等の各種の情報が記録される無線タグ３１が内蔵されている。この無線タグ３１は、図４に示すように、貸出票３０を構成する表面部材３０ａと裏面部材３０ｂとの間に内蔵されており、この無線タグ３１は、基板３２と、その基板３２上に形成された半導体回路３３および電磁誘導コイルからなるアンテナ部３４を有する。
【００２８】
図５は、図４に示す無線タグの回路構成を示す図である。
【００２９】
図５に示す無線タグ３１を構成する半導体回路３３には、送受信部３３＿１と、制御部３３＿２と、メモリ部３３＿３と、ＡＣ／ＤＣ部３３＿４とが備えられている。この無線タグ３１では、外部からの電波Ｗａをアンテナ部３４で受信して交流電圧を生成する。
【００３０】
ＡＣ／ＤＣ部３３＿４は、アンテナ部３４で生成された交流電圧を直流電圧に変換して、送受信部３３＿１,制御部３３＿２,メモリ部３３＿３に供給する。
【００３１】
送受信部３３＿１は、電波Ｗａに含まれる情報を受信して制御部３３＿２に出力するとともに、その送受信部３３＿１からの情報をアンテナ部３４を介して電波Ｗｂとして外部に向けて送信する。
【００３２】
制御部３３＿２は、送受信部３３＿１とメモリ部３３＿３とのデータ処理の制御を行なう。
【００３３】
メモリ部３３＿３は、不揮発性のメモリから構成されており、このメモリ部３３＿３には、貸出票３０を特定する貸出ＩＤ情報等が記録される。
【００３４】
図６は、無線タグとの送受信を行なう送受信器の回路構成を示す図である。
【００３５】
図６に示す送受信器４０には、電磁誘導コイル４１と、送受信部４２と、制御部４３と、Ｉ／Ｆ部４４とが備えられている。
【００３６】
電磁誘導コイル４１は、無線タグ３１に向けて電波Ｗａを送信するとともに、その無線タグ３１からの電波Ｗｂを受信する。
【００３７】
送受信部４２は、制御部４３からの情報を電磁誘導コイル４１に出力するとともに、電磁誘導コイル４１を介して電磁波Ｗｂに含まれる情報を受信する。
【００３８】
制御部４３は、送受信部４２とＩ／Ｆ部４４とのデータ処理の制御を行なう。
【００３９】
Ｉ／Ｆ部４４は、上述した画像送信端末２ａ,…２ｎに接続されており、このＩ／Ｆ部４４は、制御部４３からの情報を所定のフォーマットで画像送信端末２ａ,…２ｎに送信したり、画像送信端末２ａ,…２ｎから所定のフォーマットで送信される情報を制御部４３に出力する。
【００４０】
図７は、無線タグのメモリ部に記録されるＩＤ情報を示す図である。
【００４１】
無線タグ３１のメモリ部３３＿３には、貸出票３０を特定するＩＤ情報である貸出ＩＤ情報が記録される記録部３３＿３ａが備えられている。また、このメモリ部３３＿３には、デジタルカメラ１０の貸出しを受けるにあたり、貸し出されるデジタルカメラ１０を特定するカメラＩＤ情報が記録される記録部３３＿３ｂが備えられている。さらに、このメモリ部３３＿３には、貸し出しを受けたデジタルカメラ１０の返却にあたり、そのカメラＩＤ情報のデジタルカメラ１０が返却されたことを表わすカメラ返却情報が記録される記録部３３＿３ｃが備えられている。また、このメモリ部３３＿３には、利用者がグループで入場した場合、そのグループを特定するＩＤ情報であるグループＩＤ情報が記録される記録部３３＿３ｄが備えられている。
【００４２】
本実施形態のデジタルカメラ貸出システムでは、図２に示すように、デジタルカメラ貸出スペースＥＲｅｎｔにおいて、デジタルカメラ１０が貸し出されるまでは、デジタルカメラ１０をクレードル２０に載置してそのデジタルカメラ１０を十分に充電しておき、利用者にデジタルカメラ１０を貸し出すにあたっては、画像送信端末２ａ,…２ｎに接続された送受信器４０により、その利用者の貸出票３０の無線タグ３１に貸出ＩＤ情報,カメラＩＤ情報,グループＩＤ情報が記録される。また、デジタルカメラ１０の返却にあたっては、画像送信端末２ａ,…２ｎに接続された送受信器４０により、その利用者の貸出票３０の無線タグ３１にカメラ返却情報が記録されるとともに、そのデジタルカメラ１０をクレードル２０に載置してそのデジタルカメラ１０で撮影して得られた画像データがそのクレードル２０に対応した画像送信端末に送信される。画像送信端末は、貸出ＩＤ情報,カメラＩＤ情報,カメラ返却情報、グループＩＤ情報とともにこの画像データを画像サーバ３０に送信する。ここで、クレードル２０について説明する。
【００４３】
図８は、クレードルの概略構成図である。
【００４４】
図８に示すクレードル２０には、電源電圧（ＡＣ１００Ｖ）を入力して所定の直流電圧（ＤＣ電圧）に変換するＡＣ／ＤＣ変換器２１と、そのＡＣ／ＤＣ変換器２１からのＤＣ電圧を入力してデジタルカメラ１０に備えられた外部電源端子を経由してバッテリを充電するための充電回路２２が備えられている。また、このクレードル２０には、デジタルカメラ１０に備えられたＵＳＢ（Ｕｎｉｖｅｒｓａｌ  Ｓｅｒｉａｌ  Ｂｕｓ）端子からの画像データを入力するためのＵＳＢコネクタ２３と、そのＵＳＢコネクタ２３に接続されて画像送信端末２ａ,…２ｎのうちのこのクレードル２０に対応した画像送信端末に画像データを送信するためのＵＳＢコネクタ２４が備えられている。
【００４５】
図９は、画像送信端末で送信される送信データを示す図である。
【００４６】
画像送信端末２ａ,…２ｎと画像サーバ３０とはローカルＬＡＮで接続されており、このローカルＬＡＮを介して、画像送信端末２ａ,…２ｎそれぞれから画像サーバ３０に向けて図９に示す貸出ＩＤ情報,カメラＩＤ情報,カメラ返却情報,グループＩＤ情報,画像データからなる送信データが送信される。
【００４７】
図１０は、画像送信端末の構成を示す図である。ここでは代表的に画像送信端末２ａを取り上げて説明するが、画像送信端末２ｂ,…２ｎも同様の構成を有する。
【００４８】
図１０に示す画像送信端末２ａの構成図には、ＣＰＵ２１１、ＲＡＭ２１２、ハードディスクコントローラ２１３、フレキシブルディスクドライブ２１４、ＣＤ−ＲＯＭドライブ２１５、マウスコントローラ２１６、キーボードコントローラ２１７、ディスプレイコントローラ２１８、および通信用ボード２１９が示されており、それらはバス２１０で相互に接続されている。
【００４９】
フレキシブルディスクドライブ２１４、ＣＤ−ＲＯＭドライブ２１５は、それぞれフレキシブルディスク装填口およびＣＤ−ＲＯＭ装填口から装填されたフレキシブルディスク２１４ａ、ＣＤ−ＲＯＭ２１５ａをアクセスするものである。通信用ボード２１９はローカルＬＡＮに接続される。
【００５０】
また、図１０には、ハードディスクコントローラ２１３によりアクセスされるハードディスク２１３ａ、マウスコントローラ２１６により制御されるマウス２１６ａ、キーボードコントローラ２１７により制御されるキーボード２１７ａ、およびディスクプレイコントローラ２１８により制御されるＣＲＴディスプレイ２１８ａも示されている。
【００５１】
さらに、図１０には、送受信器４０との通信を行なうための送受信器Ｉ／Ｆ部２２０およびクレードル２０との通信を行なうためのＵＳＢＩ／Ｆ部２２１が示されている。
【００５２】
図１１は、画像サーバの構成を示す図である。
【００５３】
図１１に示す画像サーバ３の構成図には、ＣＰＵ３１１、ＲＡＭ３１２、ハードディスクコントローラ３１３、フレキシブルディスクドライブ３１４、ＣＤ−ＲＯＭドライブ３１５、マウスコントローラ３１６、キーボードコントローラ３１７、ディスプレイコントローラ３１８、および通信用ボード３１９,３２０が示されており、それらはバス３１０で相互に接続されている。
【００５４】
フレキシブルディスクドライブ３１４、ＣＤ−ＲＯＭドライブ３１５は、それぞれフレキシブルディスク装填口およびＣＤ−ＲＯＭ装填口から装填されたフレキシブルディスク３１４ａ、ＣＤ−ＲＯＭ３１５ａをアクセスするものである。通信用ボード３１９はローカルＬＡＮに接続され、また通信用ボード３２０はインターネットに接続される。
【００５５】
また、図１１には、ハードディスクコントローラ３１３によりアクセスされるハードディスク３１３ａ、マウスコントローラ３１６により制御されるマウス３１６ａ、キーボードコントローラ３１７により制御されるキーボード３１７ａ、およびディスクプレイコントローラ３１８により制御されるＣＲＴディスプレイ３１８ａも示されている。
【００５６】
次に、画像受信端末１ａ,１ｂ,１ｃ,１ｄ,１ｅ,１ｆについて説明する。画像受信端末１ａ,１ｂ,１ｃ,１ｄ,１ｅ,１ｆは、前述したように、ラボＡＬａ,ＢＬａ,ＣＬａ, ＤＬａ,ＥＬａ,ＦＬａに設置されるとともに、写真をプリントするためのプリンタ１ａｐ,…,１ｆｐ,６ａｐ,…,６ｎｐが接続されている。尚、これら画像受信端末１ａ,１ｂ,１ｃ,１ｄ,１ｅ,１ｆの構成は、送受信器４０が内蔵されている点を除いて、図１０を参照して説明した画像送信端末２ａと同じ構成であるので説明は省略する。
【００５７】
画像受信端末１ａ,１ｂ,１ｃ,１ｄ,１ｅ,１ｆは、貸出票３０に内蔵された無線タグ３１からその貸出票３０に記録された貸出ＩＤ情報,カメラＩＤ情報,カメラ返却情報,グループＩＤ情報を受信して画像サーバ３にそれらＩＤ情報および情報に対応する画像データの送信を要求し、画像サーバ３から送信されてきた画像データを受信し、その画像データで表わされる写真を画面に表示したり上記プリンタ１ａｐ,…,１ｆｐ,６ａｐ,…,６ｎｐでプリントしたりする。
【００５８】
前述したように、デジタルカメラ１０の返却にあたっては、画像送信端末２ａ,…２ｎに接続された送受信器４０により、その利用者の貸出票３０の無線タグ３１にカメラ返却情報が、既に記録された貸出ＩＤ情報,カメラＩＤ情報,グループＩＤ情報に加えて記録される。利用者は、テーマパークを退場するにあたり、このような貸出票３０を所持して入退場ゲートＨやホテルＦの出入り口から退場する。
【００５９】
本実施形態では、利用者は、テーマパーク内で写真を受け取る必要はなく、貸出票３０を所持してテーマパークを退場した後に、近所のカメラ店等に設置された画像受信端末６ａ,…,６ｎに、その貸出票３０に内蔵された無線タグ３１からのＩＤ情報や情報を受信させ、インターネットを介して画像サーバ３にそれらＩＤ情報や情報に対応する画像データの送信を要求してプリンタ６ａｐ,…,６ｎｐでプリントして写真を受け取ることができる。あるいは、上記画像データが記録されたＣＤ−ＲＯＭを受け取ってもよい。同様に、利用者がグループで入場した場合、グループを構成する利用者の貸出票３０に、そのグループを特定するグループＩＤ情報が記録されているため、デジタルカメラ１０の貸し出しを受けた利用者以外の上記グループを構成する利用者も、そのデジタルカメラ１０で撮影して得られた画像データに基づく写真やＣＤ−ＲＯＭを入手することができる。
【００６０】
尚、利用者がデジタルカメラ貸出スペースＥＲｅｎｔでデジタルカメラ１０を返却した時点で、そのデジタルカメラ貸出スペースＥＲｅｎｔに隣接したラボＥＬａにおいて、そのラボＥＬａに設置された画像受信端末１ｅに接続されたプリンタでプリントされた写真を受け取ることもできる。また、テーマパークは、上記ラボＥＬａを除くラボＡＬａ,ＢＬａ,ＣＬａ, ＤＬａ, ,ＦＬａを有し、これらラボＡＬａ,ＢＬａ,ＣＬａ, ＤＬａ,ＦＬａには画像受信端末１ａ,１ｂ,１ｃ,１ｄ,１ｆが設置されているため、利用者は、貸し出されたデジタルカメラ１０で撮影している途中で、それらラボに立ち寄って写真を受け取ってもよい。
【００６１】
ここで、テーマパークには、入退場ゲートＨに配備されたチェックアウト端末４ａ,４ｂおよびホテルＦの出入り口に配備されたチェックアウト端末４ｃが設置されている。
【００６２】
図１２は、チェックアウト端末の構成を示す図である。ここでは代表的にチェックアウト端末４ａを取り上げて説明するが、他のチェックアウト端末４ｂ,４ｃも同様の構成である。
【００６３】
チェックアウト端末４ａには、前述した送受信器４０と同様な構成である送受信器４００と、表示部４０１と、音声発音部４０２と、制御部４０３と、Ｉ／Ｆ部４０４とが備えられている。これら送受信器４００,表示部４０１,音声発音部４０２,制御部４０３,Ｉ／Ｆ部４０４は、バスラインで互いに接続されている。ここで、利用者がデジタルカメラ１０の返却を忘れていた場合、その利用者の貸出票３０の無線タグ３１にはカメラ返却情報は記録されておらず、その利用者が入退場ゲートＨから退場する際に、送受信器４００でその旨が受信される。制御部４０３は、送受信器４００で受信された情報と、Ｉ／Ｆ部４０４からのローカルＬＡＮを介して画像サーバ３から送信される情報とを参照して、カメラ返却情報が含まれていない旨を検出し、デジタルカメラ１０を返却する旨を表示部４０１に表示するとともに音声発音部４０２で警告音を発音する。このようにすることにより、貸し出されたデジタルカメラ１０の持ち出しを防止することができる。
【００６４】
さらに、テーマパークには、案内板５ａ,５ｂ,５ｃ,５ｄ,５ｅが設置されている。これら案内板５ａ,５ｂ,５ｃ,５ｄ,５ｅは、貸出票３０に内蔵された無線タグ３１からその貸出票３０に記録されたグループＩＤ情報を受信して画像サーバ３にそのグループＩＤ情報に対応する画像データの送信を要求し、画像サーバ３から送信されてきた画像データを受信して提示する。以下、詳細に説明する。
【００６５】
図１３は、案内板の構成を示す図である。ここでは代表的に案内板５ａを取り上げて説明するが、他の案内板５ｂ,５ｃ,５ｄ,５ｅも同様の構成である。
【００６６】
案内板５ａには、前述した送受信器４０と同様な構成である送受信器５００と、表示画面５０１と、入力部５０２と、制御部５０３と、Ｉ／Ｆ部５０４とが備えられている。これら送受信器５００,表示画面５０１,入力部５０２,制御部５０３,Ｉ／Ｆ部５０４は、バスラインで互いに接続されている。
【００６７】
利用者がグループで入場した場合は、そのグループを構成する利用者の貸出票３０には、そのグループを特定するグループＩＤ情報が記録されている。このため、利用者が自分の貸出票３０の無線タグ３１を案内板５ａに備えられた送受信器５００に近づけると、その無線タグ３１に記録されたグループＩＤ情報がその送受信器５００で検出されて制御部５０３に送られる。ここで、利用者は、入力部５０２で、例えば現在位置を入力する。制御部５０３では、その利用者の現在位置を表わす画像データの送信を、Ｉ／Ｆ部５０４,ローカルＬＡＮを経由して画像サーバ３に送信する。ここで、画像サーバ３に、同様にして、他の案内板からの他の利用者の現在位置を表わす画像データが送信されていた場合、この案内板５ａの表示画面５０１には、その利用者自身の現在位置とともに、画像サーバ３からの他の利用者の現在位置が表示される。このようにすることにより、その利用者は、グループを構成する他の利用者の現在位置を知ることができるとともに、他の利用者に対して自分の現在位置を教えることができる。
【００６８】
図１４は、図２に示すデジタルカメラを前面斜め上から見た外観斜視図である。
【００６９】
図１４に示すデジタルカメラ１０は、テーマパークを利用する利用者に貸し出されるデジタルカメラであり、このデジタルカメラ１０の前面中央部には、光学ズームレンズである撮影レンズ１０＿１ａを内部に備えたズーム鏡胴１０＿１が備えられている。また、このデジタルカメラ１０の前面上部には、撮影に同期してフラッシュ光を発するフラッシュ発光装置１０＿２と、フラッシュ発光装置１０＿２からのフラッシュ光の光量を制御するためにそのフラッシュ光の光量を検出するフラッシュ調光センサ１０＿３と、光学式ファインダ対物窓１０＿４とが備えられている。
【００７０】
また、このデジタルカメラ１０の前面左側には、スライド式の電源スイッチ１０＿５と、このデジタルカメラ１０に内蔵されたバッテリを充電しているときに点灯したり画像データの伝送時やセルフタイマ作動時等に点滅したりするイルミネーションランプ１０＿６が備えられている。
【００７１】
さらに、このデジタルカメラ１０の上面には、シャッタボタン１０＿７および音声をピックアップするマイクロホン１０＿８が備えられている。
【００７２】
また、このデジタルカメラ１０の図１４に示す右側面には、スピーカ１０＿９、撮影済みの画像データをパーソナルコンピュータなどに送信するときに使用されるＵＳＢケーブルが接続されるＵＳＢ端子１０＿１０、および外部電源端子１０＿１１が備えられている。
【００７３】
図１５は、図１４に示すデジタルカメラを背面斜め上から見た外観斜視図である。
【００７４】
図１５に示すデジタルカメラ１０の背面上部には、光学式ファインダ接眼窓１０＿２２と、撮影準備完了等に点灯したり撮影中に点滅したりするファインダランプ１０＿２３と、静止画モード，再生モード，動画撮影モードを切り換えるモードスイッチ１０＿２４とが備えられている。また、モードスイッチ１０＿２４の右側には、マクロボタン１０＿２５と、ズームボタン１０＿２６と、フラッシュボタン１０＿２７とが備えられている。
【００７５】
マクロボタン１０＿２５は、マクロ撮影を行なうか否かを切り換えるボタンであり、一度押下するとマクロ撮影モードとなり、再度押下するとマクロ撮影モードが解除される。
【００７６】
ズームボタン１０＿２６は、上方に向けて押下することにより望遠側（テレ側）にズームアップするとともに下方に向けて押下することにより広角側（ワイド側）にズームダウンするボタンである。また、このズームボタン１０＿２６は、単に押下することにより、後述する液晶モニタ１０＿２８に表示される各種のメニューを選択するボタンである。
【００７７】
フラッシュボタン１０＿２７は、押下する毎に、オートフラッシュ→赤目低減フラッシュ→強制フラッシュ→フラッシュ禁止→スローシャッタでのフラッシュ→オートフラッシュというようにフラッシュの状態を繰り返し切り換えるためのボタンである。
【００７８】
また、デジタルカメラ１０の背面中央部には、液晶モニタ１０＿２８と、ＭＥＮＵ／ＯＫボタン１０＿２９と、ＢＡＣＫボタン１０＿３０と、ＤＩＳＰボタン１０＿３１と、フォトモードボタン１０＿３２とが備えられている。
【００７９】
液晶モニタ２８は、デジタルカメラ１０で被写体光を捉えて生成された画像データからなる画像や種々の設定時における情報等を表示する。
【００８０】
ＭＥＮＵ／ＯＫボタン１０＿２９は、撮影時や再生時における各種のメニューを表示したり、上記ズームボタン１０＿２６により選択されたメニューを決定するためのボタンである。
【００８１】
ＢＡＣＫボタン１０＿３０は、ＭＥＮＵ／ＯＫボタン１０＿２９等による操作状態を１つ前に戻したり取り消したりするためのボタンである。
【００８２】
ＤＩＳＰボタン１０＿３１は、液晶モニタ１０＿２８に表示された画面の状態を切り換えるためのボタンであり、例えば撮影時に液晶モニタ１０＿２８の表示をオン，オフしたり、再生時に文字表示をオン，オフしたりするためのボタンである。
【００８３】
フォトモードボタン１０＿３２は、ピクセル数，感度，色味，プリント枚数等を設定するためのボタンである。
【００８４】
さらに、デジタルカメラ１０の背面下部には、バッテリおよびメモリカードを収容する収容蓋１０＿３３が備えられている。また、このデジタルカメラ１０の側面部には、ストラップ取付部１０＿３４も備えられている
図１６は、図１４,図１５に示すデジタルカメラの回路構成を示すブロック図である。
【００８５】
このデジタルカメラ１０には、前述した撮影レンズ１０＿１ａと、その撮影レンズ１０＿１ａを経由して結像された被写体像をアナログの画像信号に変換する撮像素子１０＿４１が備えられている。
【００８６】
また、このデジタルカメラ１０には、撮像素子１０＿４１からのアナログの画像信号をアナログ処理するアナログ信号処理部１０＿４２と、そのアナログ信号処理部１０＿４２で処理されたアナログの画像信号をデジタルの画像信号にＡ／Ｄ変換するＡ／Ｄコンバータ１０＿４３と、そのＡ／Ｄコンバータ１０＿４３からの画像信号をデジタル処理するデジタル信号処理部１０＿４４とが備えられている。
【００８７】
さらに、このデジタルカメラ１０には、上記デジタル信号処理部１０＿４４におけるデジタル処理に必要なプログラムデータが格納されたＲＯＭ１０＿４５と、そのデジタル信号処理部１０＿４４とのやり取りを行なうＣＰＵ１０＿４６と、露出制御用およびフォーカシング制御用の情報をＣＰＵ１０＿４６に向けて出力するＡＥ／ＡＦ部１０＿４７と、上述したズームボタン１０＿２６等からなる操作部１０＿４８と、前述したシャッタボタン１０＿１７とが備えられている。
【００８８】
また、このデジタルカメラ１０には、デジタル信号処理部１０＿４４からの画像データを格納するとともに格納された画像データをデジタル信号処理部１０＿４４に向けて出力するメモリ１０＿４９と、デジタル信号処理部１０＿４４からの画像データが格納されるメモリカード１０＿５０と、デジタル信号処理部１０＿４４からの画像データをクレードル２０（図２参照）を経由して画像送信端末２ａ,…２ｎに送信するためのＩ／Ｆ部１０＿５１と、前述した液晶モニタ１０＿２８と、このデジタルカメラ１０全体に電圧を供給するバッテリ１０＿５２とが備えられている。次に、このようなデジタルカメラ１０の貸出システムにおける処理の流れについて説明する。
【００８９】
図１７は、本実施形態のデジタルカメラ貸出システムにおける処理の前半の流れを示すフローチャート、図１８は、本実施形態のデジタルカメラ貸出システムにおける処理の後半の流れを示すフローチャートである。
【００９０】
先ず、ステップＳ１において、利用者に対してデジタルカメラ１０の貸し出しを行なう。貸し出しにあたり、ステップＳ２に示すように、入場券を兼ねた貸出票３０に内蔵された無線タグ３１に、貸出ＩＤ情報、カメラＩＤ情報、および必要に応じてグループＩＤ情報を、画像送信端末に接続された送受信器４０で記録する。
【００９１】
次に、ステップＳ３に示すように、利用者は、貸し出されたデジタルカメラ１０で撮影を行なう。撮影終了後、ステップＳ４において、利用者はデジタルカメラ１０を返却する。
【００９２】
次に、ステップＳ５において、撮影が終了したデジタルカメラ１０をクレードル２０に載置して、画像送信端末に接続された送受信器４０で、無線タグ３１にカメラ返却情報を記録する。
【００９３】
さらに、ステップＳ６において、その無線タグ３１からカメラ返却情報，貸出ＩＤ情報，カメラＩＤ情報，必要に応じて記録されたグループＩＤ情報を、またデジタルカメラ１０から画像データを、画像送信端末で受け取る。
【００９４】
次に、図１８に示すステップＳ７において、画像送信端末から画像サーバ３に向けて、カメラ返却情報，貸出ＩＤ情報，カメラＩＤ情報，必要に応じて記録されたグループＩＤ情報、および画像データを送信する。
【００９５】
さらに、利用者が退場するにあたり、テーマパークのゲートやホテルの出入り口に設けられたチェックアウト端末で、その利用者の無線タグに記録されたカメラ返却情報を受信する。
【００９６】
次に、ステップＳ９において、受信したカメラ返却情報が正しいか否かを、画像サーバ３からの期待したカメラ返却情報に基づいて判定する。受信したカメラ返却情報が正しい（期待したカメラ返却情報と一致した）と判定された場合はステップＳ１０に進み、テーマパークからの退場が許可される。一方、受信したカメラ返却情報が期待したカメラ返却情報と一致していないと判定された場合はステップＳ１１に進む。ステップＳ１１では必要な処理が行なわれる。具体的には、チェックアウト端末の表示部にその旨を表示するとともに警告音を発音する。利用者は自分の貸出票に内蔵された無線タグを、デジタルカメラの貸し出しを行なうデジタルカメラ貸出スペースＥＲｅｎｔに持参して確認等を行なって最終的に正しいカメラ返却情報をその無線タグに記録してステップＳ８に戻る。
【００９７】
テーマパークから退場した利用者は、ステップＳ１２において、近所のカメラ店等に設置された画像受信端末（６ａ,…,６ｎ）での、無線タグを使用してのプリント写真を入手する。
【図面の簡単な説明】
【００９８】
【図１】本発明の一実施形態のデジタルカメラ貸出システムが適用されるテーマパークの概略図である。
【図２】図１に示すデジタルカメラ貸出システムの概略図である。
【図３】貸出票の外観図である。
【図４】図３に示す貸出票の断面図である。
【図５】図４に示す無線タグの回路構成を示す図である。
【図６】無線タグとの送受信を行なう送受信器の回路構成を示す図である。
【図７】無線タグのメモリ部に記録されるＩＤ情報を示す図である。
【図８】クレードルの概略構成図である。
【図９】画像送信端末で送信される送信データを示す図である。
【図１０】画像送信端末の構成を示す図である。
【図１１】画像サーバの構成を示す図である。
【図１２】チェックアウト端末の構成を示す図である。
【図１３】案内板の構成を示す図である。
【図１４】図２に示すデジタルカメラを前面斜め上から見た外観斜視図である。
【図１５】図１４に示すデジタルカメラを背面斜め上から見た外観斜視図である。
【図１６】図１４,図１５に示すデジタルカメラの回路構成を示すブロック図である。
【図１７】本実施形態のデジタルカメラ貸出システムにおける処理の前半の流れを示すフローチャートである。
【図１８】本実施形態のデジタルカメラ貸出システムにおける処理の後半の流れを示すフローチャートである。
【符号の説明】
【００９９】
１ａ,１ｂ,１ｃ,１ｄ,１ｅ,１ｆ，６ａ,…,６ｎ  画像受信端末
１ａｐ,…,１ｆｐ,６ａｐ,…,６ｎｐ  プリンタ
２ａ,…２ｎ  画像送信端末
３  画像サーバ
４ａ,４ｂ，４ｃ  チェックアウト端末
５ａ,５ｂ,５ｃ,５ｄ,５ｅ  案内板
１０  デジタルカメラ
１０＿１ａ  撮影レンズ
１０＿１  ズーム鏡胴
１０＿２  フラッシュ発光装置
１０＿３  フラッシュ調光センサ
１０＿４  光学式ファインダ対物窓
１０＿５  電源スイッチ
１０＿６  イルミネーションランプ
１０＿７  シャッタボタン
１０＿８  マイクロホン
１０＿９  スピーカ
１０＿１０  ＵＳＢ端子
１０＿１１  外部電源端子
１０＿２２  光学式ファインダ接眼窓
１０＿２３  ファインダランプ
１０＿２４  モードスイッチ
１０＿２５  マクロボタン
１０＿２６  ズームボタン
１０＿２７  フラッシュボタン
１０＿２８  液晶モニタ
１０＿２９  ＭＥＮＵ／ＯＫボタン
１０＿３０  ＢＡＣＫボタン
１０＿３１  ＤＩＳＰボタン
１０＿３２  フォトモードボタン
１０＿３３  収容蓋
１０＿３４  ストラップ取付部
１０＿４１  撮像素子
１０＿４２  アナログ信号処理部
１０＿４３  Ａ／Ｄコンバータ
１０＿４４デジタル信号処理部
１０＿４５  ＲＯＭ
１０＿４６  ＣＰＵ
１０＿４７  ＡＥ／ＡＦ部
１０＿４８  操作部
１０＿４９  メモリ
１０＿５０  メモリカード
１０＿５１  Ｉ／Ｆ部
１０＿５２  バッテリ
２０  クレードル
２１  ＡＣ／ＤＣ変換器
２２  充電回路
２３，２４  ＵＳＢコネクタ
３０  貸出票
３１  無線タグ
３０ａ  表面部材
３０ｂ  裏面部材
３２  基板
３３  半導体回路
３３＿１  送受信部
３３＿２  制御部
３３＿３  メモリ部
３３＿３ａ，３３＿３ｂ，３３＿３ｃ，３３＿３ｄ  記録部
３３＿４  ＡＣ／ＤＣ部
３４  アンテナ部
４０，４００，５００  送受信器
４１  電磁誘導コイル
４２  送受信部
４３  制御部
４４  Ｉ／Ｆ部
２１０，３１０  バス
２１１，３１１  ＣＰＵ
２１２，３１２  ＲＡＭ
２１３，３１３  ハードディスクコントローラ
２１３ａ，３１３ａ  ハードディスク
２１４，３１４  フレキシブルディスクドライブ
２１４ａ，３１４ａ  フレキシブルディスク
２１５，３１５  ＣＤ−ＲＯＭドライブ
２１５ａ，３１５ａ  ＣＤ−ＲＯＭ
２１６，３１６  マウスコントローラ
２１６ａ，３１６ａ  マウス
２１７，３１７  キーボードコントローラ
２１７ａ，３１７ａ  キーボード
２１８，３１８  ディスプレイコントローラ
２１８ａ，３１８ａ  ＣＲＴディスプレイ
２１９，３１９，３２０  通信用ボード
２２０  送受信器Ｉ／Ｆ部
２２１  ＵＳＢＩ／Ｆ部
４０１  表示部
４０２  音声発音部
４０３，５０３  制御部
４０４，５０４  Ｉ／Ｆ部
５０１  表示画面
５０２  入力部
【図１】
2006101449.tif 000003
【図２】
2006101449.tif 000004
【図３】
2006101449.tif 000005
【図４】
2006101449.tif 000006
【図５】
2006101449.tif 000007
【図６】
2006101449.tif 000008
【図７】
2006101449.tif 000009
【図８】
2006101449.tif 000010
【図９】
2006101449.tif 000011
【図１０】
2006101449.tif 000012
【図１１】
2006101449.tif 000013
【図１２】
2006101449.tif 000014
【図１３】
2006101449.tif 000015
【図１４】
2006101449.tif 000016
【図１５】
2006101449.tif 000017
【図１６】
2006101449.tif 000018
【図１７】
2006101449.tif 000019
【図１８】
2006101449.tif 000020